(57)【要約】【課題】プリペイドカードにより決済を行う際に、カード所有者を確認することがなかったため、所有者以外の者が、拾得するなどによってプリペイドカードを取得した場合において、所有者の許可なく、プリペイドカードの残金を使用することが可能だった。また、プリペイドカードの無断使用を目的とした盗難の発生も懸念される。        【解決手段】本発明は、プリペイドカードの使用時に、カードに記録された個人識別データとリーダに記録された個人識別データとを照合することによって、カードの所有者以外の者が、カードを利用できないようにする。また、カード紛失時において、紛失したカードの個人識別データを、課金装置に登録することによって、カードの利用を不能にし、所有者以外の者がカードを利用することを不能にする。【選択図】図１
2011044021.tif 000002
【特許請求の範囲】
【請求項１】
予め金額がチャージされたプリペイドカードに対して対価を課金する課金システムであって、
個人の識別データが記録された個人識別証と、
前記個人識別証の前記個人識別データを読み取って内部に記録するとともに、前記プリペイドカードに当該個人識別データを記録するリーダ／ライタと、
前記プリペイドカードに対して課金する課金装置と、
を備える課金システムにおいて、
前記リーダ／ライタは、前記プリペイドカードから前記個人識別データを読み取り、内部に記録されている前記個人識別データと照合して、一致したときのみ、料金の課金を行う課金手段を備えることを特徴とする課金システム。
【請求項２】
前記個人識別データを登録する手段と、
前記プリペイドカードに記録された前記個人識別データを読み取る読み取り手段と、
登録された前記個人識別データと、前記プリペイドカードから読み取った前記個人識別データとを照合し、照合した前記データが一致しているときには当該プリペイドカードの使用を拒絶する照合手段と、
を備える課金装置をさらに備えることを特徴とする請求項１に記載の課金システム。
【請求項３】
前記リーダ／ライタが、前記プリペイドカードに記録された前記個人識別データを読み取り、前記個人識別証から読み取った前記個人識別データと照合して、一致したときのみ利用できる機器をさらに含み、
前記機器を利用することによって、自動的に料金の課金を行うことを特徴とする請求項１又は２に記載の課金システム。
【請求項４】
前記リーダ／ライタは、前記プリペイドカードに記録された前記個人識別データを読み取り、前記個人識別証から読み取った前記個人識別データと照合して、一致したときのみ、前記プリペイドカードに記録された前記個人識別データを消去し、
前記個人識別データが消去された前記プリペイドカードのみに対して、払い戻しを行う精算手段をさらに備えることを特徴とする請求項１乃至３のうちのいずれか一項に記載のシステム。
【請求項５】
前記リーダ／ライタは、前記個人識別証に記録された前記個人識別データを読み取り、内部に記録された前記個人識別データと照合して、一致したときのみ、内部に記録された前記個人識別データを消去することを特徴とする請求項１乃至４のうちいずれか一項に記載のシステム。
【請求項６】
前記個人識別証は、前記データがバーコードとして記載されたリストバンドであり、前記リーダ／ライタは、前記リストバンドからバーコードを読み取るバーコードリーダを備えていることを特徴とする請求項１乃至５のいずれか一項に記載の課金システム。
【請求項７】
前記プリペイドカードは、ＩＣカードであることを特徴とする請求項１乃至６のうちいずれか一項に記載の課金システム。
【請求項８】
前記プリペイドカードは、磁気カードであることを特徴とする請求項１乃至６のうちいずれか一項に記載の課金システム。
【請求項９】
前記リーダ／ライタが、前記個人識別証に記録された前記個人識別データを読み取り、前記リーダ／ライタに記録された前記個人識別データと照合して、一致したときのみ、使用を可能とする電子保管庫をさらに、
備える請求項１乃至８のうちいずれか一項に記載の課金システム。
【発明の詳細な説明】
【技術分野】
【０００１】
本発明は、プリペイドカードに課金を行うシステムに関する。
【背景技術】
【０００２】
病院やホテルなどの宿泊施設において、駐車場、売店、自販機、食堂喫茶、テレビ、冷蔵庫、コンピュータ、洗濯機、乾燥機、電話などの設備を利用する際に、プリペイドカードを用いて決済することがある。
【０００３】
特許文献１には、中央管理サーバを利用しないで、病院内で、患者がプリペイドカードを使用することを可能にする発明が記載されている。また、特許文献２には、プリペイドカードを用いて、テレビを使用する際に、番組の利用状況に応じて、施設管理者が番組提供者に支払う料金を管理することを可能にする発明が記載されている。
【先行技術文献】
【特許文献】
【０００４】
【特許文献１】特開２００９−１４０１２０号公報
【特許文献２】特開２００６−２９５４０７号公報
【発明の概要】
【発明が解決しようとする課題】
【０００５】
前述した従来のシステムでは、プリペイドカードにより決済を行う際に、カード所有者を確認することがなかったため、所有者以外の者が、拾得するなどによってプリペイドカードを取得した場合において、所有者の許可なく、プリペイドカードの残金を使用することが可能だった。また、プリペイドカードの無断使用を目的とした盗難の発生も懸念される。
【課題を解決するための手段】
【０００６】
上記の課題を解決するために、本発明は、予め金額がチャージされたプリペイドカードに対して対価を課金する課金システムであって、個人の識別データが記録された個人識別証と、前記個人識別証の前記個人識別データを読み取って内部に記録するとともに、前記プリペイドカードに当該個人識別データを記録するリーダ／ライタと、前記プリペイドカードに対して課金する課金装置とを備える課金システムにおいて、前記リーダ／ライタは、前記プリペイドカードから前記個人識別データを読み取り、内部に記録されている前記個人識別データと照合して、一致したときのみ、料金の課金を行う課金手段を備えることを特徴とする。
【０００７】
さらに、本発明は、前記個人識別データを登録する手段と、前記プリペイドカードに記録された前記個人識別データを読み取る読み取り手段と、登録された前記個人識別データと、前記プリペイドカードから読み取った前記個人識別データとを照合し、照合した前記データが一致しているときには当該プリペイドカードの使用を拒絶する照合手段とを備えた課金装置をさらに備えることを特徴とする。
【０００８】
上記において、前記リーダ／ライタが、前記プリペイドカードに記録された前記個人識別データを読み取り、前記個人識別証から読み取った前記個人識別データと照合して、一致したときのみ利用できる機器をさらに含み、前記機器を利用することによって、自動的に料金の課金を行うようにする。
【０００９】
前記リーダ／ライタは、前記プリペイドカードに記録された前記個人識別データを読み取り、前記個人識別証から読み取った前記個人識別データと照合して、一致したときのみ、前記プリペイドカードに記録された前記個人識別データを消去し、前記課金システムは、前記個人識別データが消去された前記プリペイドカードのみに対して、払い戻しを行う精算手段をさらに備えてもよい。
【００１０】
また、前記リーダ／ライタは、前記個人識別証に記録された前記個人識別データを読み取り、内部に記録された前記個人識別データと照合して、一致したときのみ、内部に記録された前記個人識別データを消去するようにする。
【００１１】
前記個人識別証としては、前記データがバーコードとして記載されたリストバンドとすることができ、前記リーダ／ライタは、前記リストバンドからバーコードを読み取るバーコードリーダを備えている。
【００１２】
前記プリペイドカードは、例えば、ＩＣカード又は磁気カードとすることもできる。
【００１３】
さらに、上記各発明において、前記リーダ／ライタが、前記個人識別証に記録された前記個人識別データを読み取り、前記リーダ／ライタに記録された前記個人識別データと照合して、一致したときのみ、使用を可能とする電子保管庫を備えることができる。
【発明の効果】
【００１４】
個人の識別データが記録された個人識別証（例えば、入院患者の取り違えを防止するための個人識別データがバーコードとして印刷されたリストバンド）から個人識別データを読み取ってリーダ／ライタの内部及びプリペイドカードに記録しておき、プリペイドカードを利用するときは当該プリペイドカードに記録された個人識別データとリーダ／ライタの内部に記録された個人識別データが一致したときのみ利用可能にすることによって、所有者の個人識別データが内部に記録されたリーダ／ライタ以外のリーダ／ライタにおいて当該プリペイドカードを使用しようとしても拒絶されるので、当該プリペイドカードを不正に取得して課金を伴う使用を行うことを有効に防止できる。また、特定のリーダ／ライタ以外のリーダ／ライタで使用できないことが周知されることによって、プリペイドカードの盗難等を未然に防ぐ効果も期待できる。
【図面の簡単な説明】
【００１５】
【図１】本発明の実施形態である、病院に設置された課金システム１０概略図である。
【図２】本例に係るプリペイドカード１４の機能ブロック図を示す。
【図３】プリペイドリーダ／ライタ１６の略図を示す。
【発明を実施するための形態】
【００１６】
以下に図面を参照して、本発明の実施の一形態について説明する。図１は、本発明に係る、個人識別を伴う課金システム１０を病院に設置した実施形態を示したの概略図である。
【００１７】
本実施形態の課金システム１０は、プリペイドカード１４と、個人識別証１５と、プリペイドカード１４を販売するカード販売機１１と、プリペイドカード１４に投入金額をチャージするカード入金機１２と、プリペイドカード１４の精算を行うカード精算機１３と、バーコードリーダ１７及びＩＣリーダ／ライタ１８を備えるプリペイドリーダ／ライタ１６（通称、タイマー）とを含んでいる。プリペイドリーダ／ライタ１６には、テレビ１９、電話２０、冷蔵庫２１及び電子保管庫３０を接続することができ、プリペイドカード１４に対する課金によってこれら機器を利用することができる。
【００１８】
また、洗濯機２２、乾燥機２３、自動販売機２５、インターネット接続機器（ＰＣ）２７には課金装置２９が接続され、患者がプリペイドカード１４を使ってこれらの機器を利用することができる。また、課金装置２９は、売店２４、食堂／喫茶店２６、駐車場２８にも設置され、利用の際にプリペイドカード１４で支払いを行うことができる。以下では、この病院の入院患者が課金システム１０を利用するものとする。課金装置２９とテレビ等の機器は、有線で通信してもよいし、無線で通信してもよいし、一体とされていてもよい。また、課金装置２９の代わりにプリペイドリーダ／ライタ１６を用いて、課金を行ってもよい。
【００１９】
本実施形態の課金システム１０では、個人識別証１５として、入院患者の取り違いを防ぐために患者が手首（又は足首）などに装着するようにされているリストバンドを利用する。このリストバンドには、患者の氏名その他の情報が文字で記載されている他、機械的に情報を読み取ることができるように必要な情報がバーコードによって印刷されている。
【００２０】
図２は、本例に係るプリペイドカード１４の機能ブロック図を示す。プリペイドカード１４には、各種情報を記憶するメモリ４１、及び、データの入出力を行うインターフェース４２が設けられている。メモリ４１は、少なくとも、患者を特定する個人識別データ４３、及び、課金できる範囲の料金である残金のデータ４４を記録できる。
【００２１】
本実施形態の課金システムでは、利用者は、カード販売機１１で、若しくは、窓口においてプリペイドカード１４を購入する。プリペイドカード１４は、ＩＣカードとしてもよいし、磁気カードでもよい。また、ＩＣカードの場合は、接触式でも非接触式でもよい。プリペイドカード１４を購入したカード所有者は、各病室の床頭台に設置されたプリペイドリーダ／ライタ１６に購入したプリペイドカード１４を挿入した状態で、バーコードリーダ１７によって、リストバンドにバーコードとして印刷された個人識別データを読み取らせる。読み取られた個人識別データは、プリペイドリーダ／ライタ１６に登録されると同時に、プリペイドカード１４のメモリ４１に記録される。
【００２２】
図３は、プリペイドリーダ／ライタ１６を正面からみたときの概略図である。プリペイドリーダ／ライタ１６には、バーコードリーダ１７と、プリペイドカード挿入口５１内にあるＩＣリーダ／ライタ１８と、登録ボタン５２と、精算ボタン５３と、保管庫ボタン５４と、冷蔵庫ボタン５５と、表示ＬＥＤ５６と、スピーカ５７と、メモリと、プロセッサと、通信インターフェース６０と、ライト６１、６２、６３が設けられている。
【００２３】
入院患者の個人識別データを登録する際は、プリペイドカード１４をプリペイドリーダ／ライタ１６に挿入した状態で、登録ボタン５２を押す。このとき、プリペイドリーダ／ライタ１６は、表示ＬＥＤ５６に「バーコードリーダをリストバンドのバーコードに向けてください」と表示する。併せて、スピーカ５７によって音声を発生してもよいし、ライト６２点灯若しくは点滅させるによってバーコードリーダ１７を目立つようにしてもよい。カード所有者が、リストバンド型の個人識別証１５にバーコードとして記載された個人識別データをバーコードリーダ１７で読み取らせると、そのデータは、内部のメモリに登録される。また、そのデータは、ＩＣリーダ／ライタ１８によって、プリペイドカード１４のメモリ４１に記録される。以上の処理を行うことによって、カード所有者はプリペイドカード１４を使用できるようになる。
【００２４】
続いて、カード所有者は、プリペイドカード１４を入金機１２に挿入し、入金機１２に所望の金額を投入することによって、プリペイドカード１４にチャージする。チャージされた金額は、入金機によってプリペイドカード１４のメモリ４１に記録される。なお、プリペイドカード１４にチャージするタイミングは上記の場合には限られず、例えばプリペイドカード１４に個人識別データを書き込む前に行ってもよいし、予めチャージが済んだプリペイドカード１４を購入するようにしてもよい。また、プリペイドカード１４の使用開始後の任意の時点で追加金額をチャージすることもできる。
【００２５】
電子保管庫３０を開錠する場合には、保管庫ボタン５４を押すか、若しくは、バーコードをバーコードリーダ１７に読み取らせる。保管庫ボタン５４を押した場合には、プリペイドリーダ／ライタ１６は、表示ＬＥＤ５６に「バーコードリーダをリストバンドのバーコードに向けてください」と表示し、患者は、リストバンド型の個人識別証１５に記載された個人識別データであるバーコードを、バーコードリーダ１７に読み取らせる。バーコードリーダ１７が当該バーコードを読み取り、プロセッサは、当該バーコードに記録された個人識別データと、プリペイドリーダ／ライタ１６に記録された個人識別データとを照合し、両者が一致していることを確認し、電子保管庫３０を開錠する。開錠している状態では、ライト６３が点灯し、閉錠している状態では、ライト６３が消灯する。
【００２６】
テレビ１９、電話２０のように、機器の使用時間に応じて、課金額が変化する場合は、例えば、一分１０円というように、表示ＬＥＤに課金する時間当たりの金額を表示してもよい。テレビ１９等の機器を利用するためにプリペイドカード１４を課金装置２９に挿入すると、プロセッサは、プリペイドカード１４に記録された個人識別データと、プリペイドリーダ／ライタ１６に記録された個人識別データとを照合し、両者が一致していることを確認して、機器の使用を可能とする。機器を使用している間には、プリペイドカード１４は、課金装置内に挿入されたままであり、例えば、電話をかけている間に、一分当たり１０円課金されていくように、機器の使用に応じて課金される。
【００２７】
本実施形態のプリペイドカード１４は、例えば病院の売店２４等で商品を購入する場合や、自動販売機２５で飲料を購入する場合にも使用できる。その場合は、売店等に設置された課金装置２９又は自動販売機２５にプリペイドカード１４を挿入あるいはかざして、商品等と引き換えに店員又は自動販売機２５が必要な金額を差し引くという態様で課金する。この場合、売店等に設置された課金装置２９は、プリペイドカード１４に記録された個人識別データの読み取りや照合は行わない。その代わり、例えばカード所有者がプリペイドカード１４を紛失等した場合に、その旨を当該システム管理者に連絡すると、管理者は、個々のプリペイドカード１４を識別できるカード識別情報を各課金装置２９に入力することによって、当該プリペイドカード１４によるすべての課金装置での使用を禁止する。
【００２８】
これとは別の実施形態として、プリペイドカード１４を紛失したような場合に、課金装置２９に使用を不能にしたいプリペイドカード１４の個人識別データを登録することによって、プリペイドカード１４の使用を不能にするようにすることもできる。このように設定された課金装置２９は、課金処理を行う度にプリペイドカード１４の個人識別データを読み取り、プリペイドカード１４の個人識別データと課金装置に登録された個人識別データとを照合し、一致するデータがなかった場合のみ、課金動作を実行する。
【００２９】
プリペイドカード１４にチャージ金額がある場合には、精算機１３によって残っている金額を現金に払い戻すこと（精算）ができる。本実施形態では、プリペイドリーダ／ライタ１６が、プリペイドカード１４に記録された個人識別データを確認し、プリペイドリーダ／ライタ１６に記録された個人識別データと照合し、両データが一致したときのみプリペイドカード１４に記録された個人識別データの消去を行う。そして、当該データの消去後のみ、精算機による払い戻しが可能になる。このようにすることによって、所有者以外の者が、プリペイドカード１４を拾ったり不正に取得したりしても、残金を精算して現金化することができない。また、所有者以外の者がプリペイドカード１４の精算をすることができないことが周知されることによって、プリペイドカード１４の盗難等を未然に防ぐ効果も期待できる。
【００３０】
患者が退院等する場合のように、プリペイドカード１４の利用を終了する場合には、カードを使用不能にするための登録を行う。この場合には、使用を終了したいプリペイドカード１４をプリペイドリーダ／ライタ１６に挿入した状態において、精算ボタン５３を押す。このとき、プリペイドリーダ／ライタ１６は、表示ＬＥＤ５６に「バーコードリーダをリストバンドのバーコードに向けてください」と表示する。患者は、個人識別証１５に記載されたバーコードを、バーコードリーダ１７に読み取らせる。この操作以降、プリペイドリーダ／ライタ１６は、読み取られた個人識別データと同一のデータを持つプリペイドカード１４のデータを消去する。
【００３１】
プリペイドカード１４のデータを消去しないで、退院等により、個人識別証１５を返却等した場合には、当該システム管理者にデータの消去を依頼することにより、精算することができる。また、再入院した場合などのように、プリペイドカード１４を再使用するときには、個人識別データの再登録を行うことにより、プリペイドカード１４を使用することができる。
【００３２】
以上の実施形態では、個人識別証として、入院患者を識別するための情報がバーコードとして記載されたリストバンドとして説明したが、個人識別証の他の例として、例えば会社などにおけるカード型社員証や、各種施設で本人確認が必要とされる場合の本人確認証なども考えられる。また、個人識別証は、バーコードが印刷されたリストバンドの他にリストバンドに埋め込まれたＩＣチップを利用してもよいし、ＩＣカードや磁気カードの形態とすることもできる。ＩＣカード（チップ）は、接触式であっても非接触式であってもよい。
【００３３】
また、上記の実施形態では、プリペイドカード販売機、プリペイドリーダ／ライタ、入金機、課金装置、精算機は、独立する機器として説明したが、一つの機器が複数の機器の役割を担うようにしてもよい。
【符号の説明】
【００３４】
１０  課金システム
１１  カード販売機
１２  カード入金機
１３  カード販売機
１４  プリペイドカード
１５  個人識別証
１６  プリペイドリーダ／ライタ
１７  バーコードリーダ
１８  ＩＣリーダ／ライタ
１９  テレビ
２０  電話
２１  冷蔵庫
２２  洗濯機
２３  乾燥機
２４  売店
２５  自動販売機
２６  食堂／喫茶店
２７  インターネット接続機器（ＰＣ）
２８  駐車場
２９  課金装置
３０  電子保管庫
４１  メモリ
４２  インターフェース
４３  患者を特定する個人識別データ
４４  残金のデータ
５１  プリペイドカード挿入口
５２  登録ボタン
５３  精算ボタン
５４  保管庫ボタン
５５  冷蔵庫ボタン
５６  表示ＬＥＤ
５７  スピーカ
６０  通信インターフェース
６１  ライト
６２  ライト
６３  ライト
【図１】
2011044021.tif 000003
【図２】
2011044021.tif 000004
【図３】
2011044021.tif 000005
【手続補正書】
【提出日】平成22年1月13日(2010.1.13)
【手続補正１】
【補正対象書類名】明細書
【補正対象項目名】００３０
【補正方法】変更
【補正の内容】
【００３０】
患者が退院等する場合のように、プリペイドカード１４の利用を終了する場合には、カードを使用不能にするための登録を行う。この場合には、使用を終了したいプリペイドカード１４をプリペイドリーダ／ライタ１６に挿入した状態において、精算ボタン５３を押す。このとき、プリペイドリーダ／ライタ１６は、表示ＬＥＤ５６に「バーコードリーダをリストバンドのバーコードに向けてください」と表示する。患者は、個人識別証１５に記載されたバーコードを、バーコードリーダ１７に読み取らせる。この操作以降、プリペイドリーダ／ライタ１６は、読み取られた個人識別データと同一のデータを持つプリペイドカード１４のデータを消去する。さらに、プリペイドリーダ／ライタ１６は、個人識別証１５に記録された個人識別データを読み取り、内部に記録された個人識別データと照合して、一致したときのみ、内部に記録された個人識別データを消去するようにしてもよい。
【手続補正２】
【補正対象書類名】特許請求の範囲
【補正対象項目名】全文
【補正方法】変更
【補正の内容】
【特許請求の範囲】
【請求項１】
予め金額がチャージされたプリペイドカードに対して対価を課金する課金システムであって、
個人の識別データが記録された個人識別証と、
前記個人識別証の前記個人識別データを読み取って内部に記録するとともに、前記プリペイドカードに当該個人識別データを記録するリーダ／ライタと、
前記プリペイドカードに対して課金する課金装置と、
を備える課金システムにおいて、
前記リーダ／ライタは、前記プリペイドカードから前記個人識別データを読み取り、内部に記録されている前記個人識別データと照合して、一致したときのみ、料金の課金を行う課金手段と、
前記リーダ／ライタは、前記プリペイドカードに記録された前記個人識別データを読み取り、前記個人識別証から読み取った前記個人識別データと照合して、一致したときのみ、前記プリペイドカードに記録された前記個人識別データを消去し、
前記個人識別データが消去された前記プリペイドカードのみに対して、払い戻しを行う精算手段と、
を備えることを特徴とする課金システム。
【請求項２】
前記個人識別データを登録する手段と、
前記プリペイドカードに記録された前記個人識別データを読み取る読み取り手段と、
登録された前記個人識別データと、前記プリペイドカードから読み取った前記個人識別データとを照合し、照合した前記データが一致しているときには当該プリペイドカードの使用を拒絶する照合手段と、
を備える課金装置をさらに備えることを特徴とする請求項１に記載の課金システム。
【請求項３】
前記リーダ／ライタが、前記プリペイドカードに記録された前記個人識別データを読み取り、前記個人識別証から読み取った前記個人識別データと照合して、一致したときのみ利用できる機器をさらに含み、
前記機器を利用することによって、自動的に料金の課金を行うことを特徴とする請求項１又は２に記載の課金システム。
【請求項４】
前記リーダ／ライタは、前記個人識別証に記録された前記個人識別データを読み取り、内部に記録された前記個人識別データと照合して、一致したときのみ、内部に記録された前記個人識別データを消去することを特徴とする請求項１乃至３のうちいずれか一項に記載のシステム。
【請求項５】
前記個人識別証は、前記データがバーコードとして記載されたリストバンドであり、前記リーダ／ライタは、前記リストバンドからバーコードを読み取るバーコードリーダを備えていることを特徴とする請求項１乃至４のいずれか一項に記載の課金システム。
【請求項６】
前記プリペイドカードは、ＩＣカードであることを特徴とする請求項１乃至５のうちいずれか一項に記載の課金システム。
【請求項７】
前記プリペイドカードは、磁気カードであることを特徴とする請求項１乃至５のうちいずれか一項に記載の課金システム。
【請求項８】
前記リーダ／ライタが、前記個人識別証に記録された前記個人識別データを読み取り、前記リーダ／ライタに記録された前記個人識別データと照合して、一致したときのみ、使用を可能とする電子保管庫をさらに、
備える請求項１乃至７のうちいずれか一項に記載の課金システム。